(57)【要約】      （修正有）【課題】Ｔ字バールのみで開閉が可能で、かつ施錠が出来る蓋で、従来から使用してきた開閉工具をそのまま使用して開閉できるようにする。【解決手段】円形状の受け枠１と、受け枠の上部開口を開閉する蓋本体２と、受け枠と蓋本体とを連結する蝶番と、蓋本体の蝶番と対向する周縁にバール孔４を刻設した地下構造物用蓋において、下部に受け枠の錠座７に係合する係合突起８を形成し、蓋本体のバール孔下方に揺動自在に枢支した施錠駒９と、バール孔閉塞蓋を上部に形成した下部の角棒５を施錠駒下部の案内孔で摺動させ、閉塞蓋の下部に装着したセンターアーム１０と施錠駒に装着した２対のサイドアーム１１，１２をセンターアームの上下２箇所でヒンジ状に連結し、どちらか一方のヒンジにヒンジが開いて閉塞蓋を上方に押し上げる方向にねじりバネ１３を装着した地下構造物用蓋の施錠構造とした。【選択図】図２
2008297697.tif 000002
【特許請求の範囲】
【請求項１】
円形状の受け枠と、受け枠の上部開口を開閉する蓋本体と、受け枠と蓋本体とを連結する蝶番と、蓋本体の蝶番と対向する周縁にバール孔を刻設した地下構造物用蓋において、下部に受け枠の錠座に係合する係合突起を形成し、蓋本体のバール孔下方に揺動自在に枢支した施錠駒と、バール孔閉塞蓋を上部に形成した下部の角棒を施錠駒下部の案内孔で摺動させ、閉塞蓋の下部に装着したセンターアームと施錠駒に装着した２対のサイドアームをセンターアームの上下２箇所でヒンジ状に連結し、どちらか一方のヒンジにヒンジが開いて閉塞蓋を上方に押し上げる方向にねじりバネを装着した地下構造物用蓋の施錠構造。
【請求項２】
下部に受け枠の錠座に係合する係合突起を施錠駒の両端２箇所に形成した請求項１記載の地下構造物用蓋の施錠構造。
【発明の詳細な説明】
【技術分野】
【０００１】
本発明は、地下構造物用蓋の施錠構造に関するものである。
【０００２】
地下構造物用蓋とは、上下水道、電力、通信、ガス等の地下埋設管路、ケーブルおよびその付帯設備などと地上を連結する開口部の開閉扉の役目をするマンホール蓋、消火栓蓋、仕切弁蓋、空気弁蓋、ガス配管用蓋、量水器蓋などをいう。
【背景技術】
【０００３】
施錠用のキーや特殊工具で蓋上面から施錠駒を回転させて開錠、施錠するものや、特殊な形状のバールを使用しなければ開閉が出来ないものがあった。
【０００４】
また、簡単な棒状のバールやつるはしを使用して開蓋が可能なもので、施錠の目的ではなく、蓋本体の飛散を防止するのが目的のものが使用されてきた。
【０００５】
特許第３７４６２６１号の「図１５」、「図１６」、「図１７」、「図１８」、「図１９」には、バール孔閉塞装置と一体になった浮上防止装置が掲載されている。浮上防止とは、下水道のマンホールの蓋が下方からの揚圧による蓋の飛散を防止することであり、機能的に似ているが、施錠を主たる目的とはしていない。
【０００６】
特許第３６１６９２０号によると、閉塞蓋は施錠駒下方の角形貫通孔に角棒状の支持軸が挿入されている。この貫通孔と支持軸はスムーズに摺動させるため、隙間が設けられている。そのため、閉塞蓋の支持軸が施錠駒の貫通孔に嵌合している部分が弾性体を介しているため、下部の３分の１程度であり、弾性体が伸長して閉塞蓋が上方になるほど動きが不安定でぐらぐらする。そこで、案内面を設けて閉塞蓋を押し下げたときに閉塞蓋が受け枠の側壁に当たらないよう対策している。
【０００７】
施錠用のキーや特殊バールを使用して解錠することは施錠の効果はあるが、設置済みの他の形式の蓋も管理者が管理する地域内に混在することになると、管理上煩雑になる。また、開蓋時には専用キーやバールを複数種類持ち歩かなければならない。
【０００８】
地下構造物用蓋は勾配受構造が多く採用されており、上下水道用蓋の規格にもなっている。これらの勾配受構造の蓋を開閉するために先端がＴ字形のバールが開閉工具として使用されており、これらの蓋の管理団体（地方自治体）や施工業者などの間では普及している。そこで、このＴ字バールのみで開閉が可能でかつ施錠が出来る蓋があれば、従来から使用してきた開閉工具をそのまま使用して開閉でき、便利な施錠構造となる。
【０００９】
特許第３７４６２６１号の場合、Ｔ字バールで解錠する方式であるが、閉塞蓋の動きが不安定であり、開錠が難しかったり、バールを抜いたときに閉塞蓋が所定の位置に戻らない場合がある。
【００１０】
特許第３６１６９２０号では、Ｔ字バールを使用して、閉塞蓋を押し下げた場合に受け枠の側壁に接触しないように案内面を設けているが、蓋本体を閉じてバールを抜いて閉塞蓋が閉じるときに、閉塞蓋と受け枠の隙間が出来るだけ少なくなる位置に閉塞蓋が収まるための対策がないので、受け枠との隙間が大きくなったり、所定の位置に閉塞蓋が嵌合しないことがある。
【００１１】
また、施錠駒が受け枠底面より下方にはみ出すので開蓋時および蓋本体旋回時、蓋本体を高く持ち上げる必要がある。水平場所に置く場合や、積み重ねて在庫する場合は、上下逆に積み重ねるか、噛ませ物が必要になる。
【００１２】
以上のことを考慮し、地下構造物用勾配受け蓋で使用されるＴ字バールのみで解錠でき、かつバール孔の閉塞効果を高くして土砂や雨水の流入を抑える閉塞蓋を備えた施錠構造にすることで、一般人によるゴミの不法投棄、蓋本体の盗難、下水用蓋の場合は揚圧による蓋本体の飛散を防止出来ればよい。
【特許文献１】特許第３７４６２６１号
【特許文献２】特許第３６１６９２０号
【発明の開示】
【発明が解決しようとする課題】
【００１３】
地下構造物用蓋において、施錠用のキーや特殊バールを使用し解錠することは施錠の効果はあっても、管理する地域内に設置済みの他の形式の蓋も混在するとなると、管理上煩雑になる。
【００１４】
また、開蓋時には専用キーやバールを複数種類持ち歩かなければならない。
【００１５】
地下構造物用蓋は勾配受構造が多く採用されており、上下水道用蓋の規格にもなっている。これらの勾配受け構造の蓋を開閉するために、先端がＴ字形のバールが開閉工具として使用されており、これらの蓋の管理団体（地方自治体）や施工業者などの間では普及している。
【００１６】
そこで、このＴ字バールのみで開閉が可能でかつ施錠が出来る蓋があれば、従来から使用してきた開閉工具をそのまま使用して開閉ができ、便利な施錠構造となる。
【課題を解決するための手段】
【００１７】
そこで、本発明は、上記の事情に鑑み、Ｔ字バールのみで開閉が可能で、かつ施錠が出来る蓋で、従来から使用してきた開閉工具をそのまま使用して開閉できるようにすべく、円形状の受け枠と、受け枠の上部開口を開閉する蓋本体と、受け枠と蓋本体とを連結する蝶番と、蓋本体の蝶番と対向する周縁にバール孔を刻設した地下構造物用蓋において、下部に受け枠の錠座に係合する係合突起を形成し、蓋本体のバール孔下方に揺動自在に枢支した施錠駒と、バール孔閉塞蓋を上部に形成した下部の角棒を施錠駒下部の案内孔で摺動させ、閉塞蓋の下部に装着したセンターアームと施錠駒に装着した２対のサイドアームをセンターアームの上下２箇所でヒンジ状に連結し、どちらか一方のヒンジにヒンジが開いて閉塞蓋を上方に押し上げる方向にねじりバネを装着した地下構造物用蓋の施錠構造とした。
【００１８】
また、本発明は、具体的には、下部に受け枠の錠座に係合する係合突起を施錠駒の両端２箇所に形成した地下構造物用蓋の施錠構造とした。
【発明の効果】
【００１９】
本発明は、円形状の受け枠と、受け枠の上部開口を開閉する蓋本体と、受け枠と蓋本体とを連結する蝶番と、蓋本体の蝶番と対向する周縁にバール孔を刻設した地下構造物用蓋において、下部に受け枠の錠座に係合する係合突起を形成し、蓋本体のバール孔下方に揺動自在に枢支した施錠駒と、バール孔閉塞蓋を上部に形成した下部の角棒を施錠駒下部の案内孔で摺動させ、閉塞蓋の下部に装着したセンターアームと施錠駒に装着した２対のサイドアームをセンターアームの上下２箇所でヒンジ状に連結し、どちらか一方のヒンジにヒンジが開いて閉塞蓋を上方に押し上げる方向にねじりバネを装着した地下構造物用蓋の施錠構造としたので、Ｔ字バールのみで開閉が可能でかつ施錠が出来る蓋で、従来から使用してきた開閉工具をそのまま使用して開閉することができる。
【００２０】
また、本発明は、具体的には、下部に受け枠の錠座に係合する係合突起を施錠駒の両端２箇所に形成した地下構造物用蓋の施錠構造である。
【発明を実施するための最良の形態】
【００２１】
本発明を添付する図面に示す具体的な実施例に基づいて、以下詳細に説明する。
【００２２】
図１は、地下構造物用蓋の平面図と縦断面図、図２は施錠部の詳細断面図である。
【００２３】
円形状の受け枠１と、受け枠１の上部開口を開閉する蓋本体２と、受け枠１と蓋本体２とを連結する蝶番３と、蓋本体２の蝶番３と対向する周縁にバール孔４を刻設した地下構造物用蓋である。
【００２４】
上部にバール孔４を蓋本体２のバール孔４下方から閉塞する、下方に角棒５を一体化させた閉塞蓋６と、下部に受け枠１の錠座７に係合する係合突起８が１箇所または２箇所形成され、蓋本体２のバール孔４下方に摺動自在に枢支された施錠駒９をセンターアーム１０と２個のサイドアーム１１・１２でヒンジ状に連結し、そのサイドアーム１１・１２が開く方向にねじりバネ１３をサイドアーム１１の一方に装着する。
【００２５】
図３に示すように、バール孔４を開閉する閉塞蓋６の下面中央に内方に斜状の角棒５の基端を固着する。
【００２６】
図４には、センターアーム１０が示され、その上部には前記角棒５の上部を挟持する挟持片１４を突設させる。
【００２７】
図５は、センターアーム１０の両側に配置される上段のサイドアーム１１である。
【００２８】
図６は、センターアーム１０の両側に配置される下段のサイドアーム１２である。
【００２９】
図７は、センターアーム１０とサイドアーム１１間に装着されるねじりバネ１３である。
【００３０】
図８は図２の閉塞蓋６にセンターアーム１０、サイドアーム１１・１２を取付けた状態の左側面図、図９は閉塞蓋６にセンターアーム１０、サイドアーム１１・１２を取付けた状態の正面図、図１０は閉塞蓋６にセンターアーム１０、サイドアーム１１・１２を取付けた状態の右側面図である。
【００３１】
図８では、図１１に示すシャフト１５は閉塞蓋６とセンターアーム１０を取付け、片側をナット２０で螺締する。図１２に示すシャフト１６はセンターアーム１０にサイドアーム１１を取付け、片側をナット２１で螺締する。図１３に示す６角穴付ボルト１７は、サイドアーム１１を施錠駒９に取付け、片側をナット２２で螺締する。図１４に示すシャフト１８はサイドアーム１２を施錠駒９に取付け、片側を割ピンで係止する。図１５に示すシャフト１９はサイドアーム１２を施錠駒９に取付け、片側を割ピン２３で係止する。
【００３２】
図１６は施錠駒９の左側面図、図１７は施錠駒９の正面図、図１８は施錠駒９の中央縦断面図である。施錠駒９の下部中央の突出部２４には前記閉塞蓋６の角棒５を挿入する案内孔２５を穿設する。
【００３３】
施錠駒９は概略Ｕ字状で、施錠駒９の上部外方には蓋本体２の保持孔（図示せず）に装着する懸垂突起２３を突出させる。
【００３４】
図１９は前記（図８、図９、図１０）の閉塞蓋６を組み込んだ施錠駒９の平面図、図２０は閉塞蓋６を組み込んだ施錠駒９の左側面図、図２１は閉塞蓋６を組み込んだ施錠駒９の中央縦断面図、図２２は閉塞蓋６を組み込んだ施錠駒９の右側面図である。
【００３５】
上記のように、閉塞蓋６を組み込んだ施錠駒９は、蓋本体２の保持孔に懸垂突起２３を挿入して地下構造物用蓋に装着する。
【００３６】
閉塞蓋６の下方の角棒５を施錠駒９の下部の案内孔２５を摺動させて閉塞蓋６が図２のａｂ傾斜ライン上を上下するようにする。２対のサイドアーム１１・１２でセンターアーム１０をヒンジ状に枢着しているので、シャフト１５・１６・１８・１９または６角穴付ボルト１７とその貫通孔の隙間を最小限にすれば閉塞蓋６の施錠駒９に対しての動きは図２の傾斜直線ａｂラインをほぼ逸脱しない。したがって、閉塞蓋６の動きはバール孔４を閉塞している状態からＴ字バール２６でもっとも下方に押し下げられた状態の間、閉塞蓋６がぐらつくことが最小限に抑えられる。
【００３７】
よって、閉塞蓋６が下方に押し下げられる時に受け枠１の側壁に当たらないように設定することが容易にできる。また、Ｔ字バール２６をはずした時に閉塞蓋６は元の位置に必ず戻る。
【００３８】
図８、図１１のシャフト１の長さを図１６のｗ寸法より僅かに小さくすれば横方向の振れも最小限に抑えられる。
【００３９】
この閉塞蓋６の開蓋は次のようにして行う。
【００４０】
まず、図２３に示すように、Ｔ字バール２６の頭部２７をバール孔４に挿入する。
【００４１】
次に、図２４に示すように、閉塞蓋６をいっぱいまで押し下げた後、Ｔ字バール２６を軸中心に９０°回転する。
【００４２】
さらに、図２５に示すように、蓋本体２が持ち上がるように受け枠１の縁を支点にＴ字バール２６を押し下げて蓋本体２の受け枠１への食い込みを解除する。この時点では施錠駒９は回転しないので解錠はしていない。
【００４３】
続いて、図２６に示すように、Ｔ字バール２６を受け枠１の縁の方向に引く。そうすることで閉塞蓋６がねじりバネ１３の反発力で斜めになり、同じくねじりバネ１３の反発力で施錠駒９が施錠駒９の蓋本体２との懸垂突起２３を中心に錠座７から施錠駒９の係合突起８が離れる方向に回転して解錠される。そのまま上方に蓋本体２を持ち上げ、施錠駒９の最下部が受け枠１の上部と干渉しなくなるのを確認して、蓋本体２を受け枠１の外側にはみ出るよう引き出し、蓋本体２を持ち上げながら旋回させて開蓋する。この方法は施錠構造のない従来の勾配受け地下構造物用蓋の開蓋方法と同じである。
【００４４】
図２７は、Ｔ字バール２６でない棒状のバール２８を使用した場合である。
【００４５】
図２８のように、Ｔ字バール２６同様蓋本体２の受け枠１への食い込みは解除できるが、施錠駒９が回転しないのでそれ以上蓋本体２を持ち上げることができない。
【００４６】
閉塞蓋６の受け枠１に近い部分を押し下げて解錠はできるが、テコにして蓋本体を持ち上げることができない。したがって、地下構造物用蓋の管理者のみの間に普及しているＴ字バール２６以外では開蓋することができないので、蓋本体２の盗難、ゴミの不法投棄が防げる。
【００４７】
また、下水道用蓋の場合は、大量の雨水の流入により下方からの揚圧により蓋本体２が開いたり、飛散したりして通行車両や人が転落するのを防ぐことができる。図２９のように、蓋本体２が持ち上がると、蓋本体２と受け枠１の間に隙間ができ、内部の圧力が下がり、蓋本体２は元の位置に戻る。また、蓋本体２が持ち上がる高さを錠座７と係合突起８の間隔を調整することで、蓋本体２の持ち上がり高さを２ｃｍ以下に抑えて車両の通行の大きな障害にならないようにすることができる。
【００４８】
本発明は、閉塞蓋６の動きが安定しており、バールで押し下げるときに、受け枠１の側壁と接触しない。
【００４９】
また、本発明は、バールを抜いたときに閉塞蓋６が元の位置に確実に戻る。
【００５０】
さらに、本発明は、受け枠１と閉塞蓋６との隙間を小さくできる。
【００５１】
さらにその上に、本発明は、上記の理由で土砂や雨水の流入を抑えることができる。
【００５２】
また、本発明は、下水の揚圧により蓋本体２が浮上した場合、係合突起８が施錠駒９両端に１個ずつ２個付いているものは蓋本体２が浮上したときに蝶番３との直角方向が揺動するのを制御できる。係合突起８が中央に１個のものは小口径や、小型の地下構造物用蓋に使用することができる。
【００５３】
さらに、本発明は、施錠駒９が受け枠１の最下部よりはみ出ないので、在庫時の積み重ねが容易である。蓋本体２を持ち上げたあとの旋回による開蓋が施錠駒の高さが低いので旋回しやすい。
【産業上の利用可能性】
【００５４】
本発明は、Ｔ字バールのみで開閉が可能で、かつ施錠が出来る蓋で、従来から使用してきた開閉工具をそのまま使用して開閉できるようにした地下構造物用蓋の施錠構造であるが、地上構造物用蓋の施錠構造にも利用できる。
【図面の簡単な説明】
【００５５】
【図１】本発明の地下構造物用蓋の平面図と縦断面図である。
【図２】本発明の施錠部の詳細断面図である。
【図３】バール孔を開閉する斜状の角棒の基端を固着する閉塞蓋の３面図である。
【図４】センターアームの２面図である。
【図５】センターアームの両側に配置される上段のサイドアームの２面図である。
【図６】センターアームの両側に配置される下段のサイドアームの２面図である。
【図７】センターアームとサイドアーム間に装着されるねじりバネの２面図である。
【図８】図２の閉塞蓋にセンターアーム、サイドアームを取付けた状態の左側面図である。
【図９】閉塞蓋にセンターアーム、サイドアームを取付けた状態の正面図である。
【図１０】閉塞蓋にセンターアーム、サイドアームを取付けた状態の右側面図である。
【図１１】閉塞蓋とセンターアームを取付け、片側をナットで螺締する図である。
【図１２】センターアームにサイドアームを取付け、片側をナットで螺締するシャフトの図である。
【図１３】サイドアームを施錠駒に取付け、片側をナットで螺締する６角穴付ボルトの図である。
【図１４】サイドアームを施錠駒に取付け、片側を割ピンで係止するシャフトの図である。
【図１５】サイドアームを施錠駒に取付け、片側を割ピンで係止するシャフトの図である。
【図１６】施錠駒の左側面図である。
【図１７】施錠駒の正面図である。
【図１８】施錠駒の中央縦断面図である。
【図１９】閉塞蓋を組み込んだ施錠駒の平面図である。
【図２０】閉塞蓋を組み込んだ施錠駒の左側面図である。
【図２１】閉塞蓋を組み込んだ施錠駒の中央縦断面図である。
【図２２】閉塞蓋を組み込んだ施錠駒の右側面図である。
【図２３】Ｔ字バールの頭部をバール孔に挿入した状態の要部の縦断面図である。
【図２４】閉塞蓋をいっぱいまで押し下げた後、Ｔ字バールを軸中心に９０°回転した状態の要部の縦断面図である。
【図２５】蓋本体が持ち上がるように受け枠の縁を支点にＴ字バールを押し下げて蓋本体の受け枠への食い込みを解除した状態の要部の縦断面図である。
【図２６】バールを受け枠の縁の方向に引いた状態の要部の縦断面図である。
【図２７】Ｔ字バールでない棒状のバールを使用した状態の要部の縦断面図である。
【図２８】蓋本体の受け枠への食い込みは解除できるが施錠駒が回転しないので蓋本体を持ち上げることができない状態の要部の縦断面図である。
【図２９】蓋本体が持ち上がると蓋本体と受け枠の間に隙間ができ、内部の圧力が下がり蓋本体は元の位置に戻った状態の要部の縦断面図である。
【符号の説明】
【００５６】
１…受け枠
２…蓋本体
３…蝶番
４…バール孔
７…錠座
８…係合突起
９…施錠駒
５…角棒
２５…案内孔
１０…センターアーム
１１・１２…サイドアーム
１３…ねじりバネ
【図１】
2008297697.tif 000003
【図２】
2008297697.tif 000004
【図３】
2008297697.tif 000005
【図４】
2008297697.tif 000006
【図５】
2008297697.tif 000007
【図６】
2008297697.tif 000008
【図７】
2008297697.tif 000009
【図８】
2008297697.tif 000010
【図９】
2008297697.tif 000011
【図１０】
2008297697.tif 000012
【図１１】
2008297697.tif 000013
【図１２】
2008297697.tif 000014
【図１３】
2008297697.tif 000015
【図１４】
2008297697.tif 000016
【図１５】
2008297697.tif 000017
【図１６】
2008297697.tif 000018
【図１７】
2008297697.tif 000019
【図１８】
2008297697.tif 000020
【図１９】
2008297697.tif 000021
【図２０】
2008297697.tif 000022
【図２１】
2008297697.tif 000023
【図２２】
2008297697.tif 000024
【図２３】
2008297697.tif 000025
【図２４】
2008297697.tif 000026
【図２５】
2008297697.tif 000027
【図２６】
2008297697.tif 000028
【図２７】
2008297697.tif 000029
【図２８】
2008297697.tif 000030
【図２９】
2008297697.tif 000031